(57)【要約】【課題】コンテンツ配信業者と顧客との間で双方の利便性を向上させる。【解決手段】コンテンツ配信業者１０１がコンテンツを配信したい顧客を絞り込むために設定した条件と、複数の顧客１０２がコンテンツ配信を受領するために設定した各条件とを検出し、検出した条件を顧客毎にマッチングさせ、マッチングした顧客の数をコンテンツ配信業者に把握させる。そして、コンテンツ配信業者１０１により指定されたコンテンツをマッチングした顧客に配信する。【選択図】      図１
2005018290.tif 000002
【特許請求の範囲】
【請求項１】
通信ネットワークを介してコンテンツ配信業者が複数の顧客にコンテンツを配信するコンテンツ配信システムであって、
コンテンツ配信業者がコンテンツを配信したい顧客を絞り込むために設定した条件を検出する手段と、
複数の顧客がコンテンツ配信を受領するために設定した各条件を検出する手段と、
前記検出した条件を顧客毎にマッチングさせる手段と、
前記マッチングした顧客の数をコンテンツ配信業者に把握させる手段と、
前記コンテンツ配信業者により指定されたコンテンツをマッチングした顧客に配信する手段とを有することを特徴とするコンテンツ配信システム。
【請求項２】
前記配信する手段は、前記コンテンツ配信業者に対して複数の顧客の情報を開示せずに配信することを特徴とする請求項１記載のコンテンツ配信システム。
【請求項３】
前記配信する手段は、前記コンテンツ配信業者が顧客の数を把握した後、顧客へのコンテンツ配信を依頼するか否かを選択し、前記コンテンツ配信業者からコンテンツ配信を依頼された場合、コンテンツをマッチングした顧客に配信することを特徴とする請求項１記載のコンテンツ配信システム。
【請求項４】
通信ネットワークを介してコンテンツ配信業者が複数の顧客にコンテンツを配信するコンテンツ配信システムの配信方法であって、
コンテンツ配信業者がコンテンツを配信したい顧客を絞り込むために設定した条件を検出する工程と、
複数の顧客がコンテンツ配信を受領するために設定した各条件を検出する工程と、
前記検出した条件を顧客毎にマッチングさせる工程と、
前記マッチングした顧客の数をコンテンツ配信業者に把握させる工程と、
前記コンテンツ配信業者により指定されたコンテンツをマッチングした顧客に配信する工程とを有することを特徴とするコンテンツ配信システムの配信方法。
【請求項５】
コンピュータを請求項１に記載されたコンテンツ配信システムの各手段として機能させるためのプログラム。
【請求項６】
請求項５に記載されたプログラムを記録したコンピュータ読み取り可能な記録媒体。
【発明の詳細な説明】
【０００１】
【発明の属する技術分野】
本発明は、通信ネットワークを介してコンテンツ配信業者が複数の顧客にコンテンツを配信する技術に関する。
【０００２】
【従来の技術】
従来、コンテンツ配信業者はインターネットなどの通信ネットワークを介して不特定多数の顧客に対し、ランダムにコンテンツを配信している。また、コンテンツを配信される顧客も、一方的にコンテンツを受領するのみであった。
【０００３】
【特許文献１】
特開２００２−１６３４７１号公報
【発明が解決しようとする課題】
つまり、コンテンツ配信業者は、独自に作成した顧客名簿等に基づき、不特定多数の顧客に対してランダムにコンテンツを配信している。一方、コンテンツを受領する顧客は、顧客の要望に関係なく、一方的にコンテンツを受領している。
その結果、双方にとって有効なコンテンツ内容の授受が行われていない、という問題があった。
【０００４】
また、コンテンツ配信業者は、送付コンテンツの内容に基づき、コンテンツの配信前に事前に有効対象顧客人数を把握することができなかった。併せて、対象顧客の情報は、名簿等を利用した固定的な顧客リストであるため、リアルタイムな顧客管理ができていなかった。
【０００５】
また、コンテンツを受領する顧客は、ランダムにコンテンツが送付されるため、必要な情報をタイムリーに受け取ることができなかった。併せて、一度、連絡先がわかってしまうと、継続的に不要なコンテンツを受領しなければならない、というセキュリティー上の問題もあった。
【０００６】
本発明は、上記課題を解決するためになされたもので、コンテンツ配信業者と顧客との間で双方の利便性を向上させることを目的とする。
【０００７】
【課題を解決するための手段】
上記目的を達成するために、本発明は、通信ネットワークを介してコンテンツ配信業者が複数の顧客にコンテンツを配信するコンテンツ配信システムであって、コンテンツ配信業者がコンテンツを配信したい顧客を絞り込むために設定した条件を検出する手段と、複数の顧客がコンテンツ配信を受領するために設定した各条件を検出する手段と、前記検出した条件を顧客毎にマッチングさせる手段と、前記マッチングした顧客の数をコンテンツ配信業者に把握させる手段と、前記コンテンツ配信業者により指定されたコンテンツをマッチングした顧客に配信する手段とを有することを特徴とする。
【０００８】
また、上記目的を達成するために、本発明は、通信ネットワークを介してコンテンツ配信業者が複数の顧客にコンテンツを配信するコンテンツ配信システムの配信方法であって、コンテンツ配信業者がコンテンツを配信したい顧客を絞り込むために設定した条件を検出する工程と、複数の顧客がコンテンツ配信を受領するために設定した各条件を検出する工程と、前記検出した条件を顧客毎にマッチングさせる工程と、前記マッチングした顧客の数をコンテンツ配信業者に把握させる工程と、前記コンテンツ配信業者により指定されたコンテンツをマッチングした顧客に配信する工程とを有することを特徴とする。
【０００９】
【発明の実施の形態】
以下、図面を参照しながら本発明に係る実施の形態を詳細に説明する。
【００１０】
図１は、本実施形態におけるシステムの構成を示す図である。図１において、１０１、１０２はクライアント１、２としての情報処理装置であり、詳細は後述するサービス提供システムとインターネットを介して接続されている。この情報処理装置としては、例えばデスクトップコンピュータ、ノート型コンピュータ、ウェアラブルコンピュータ、ＰＤＡ（Ｐｅｒｓｏｎａｌ  Ｄｉｇｉｔａｌ  Ａｓｓｉｓｔａｎｔｓ）、画像伝送装置（例えばファックス）及び携帯電話（ブラウザフォン）などがある。
【００１１】
１０３は例えばインターネットなどの通信ネットワークであり、公衆電話回線、ＩＳＤＮ、衛星通信網などで構成されている。
【００１２】
尚、本実施形態では、クライアント１の情報処理装置１０１は本サービス提供システムの利用者であるコンテンツ配信業者によって操作され、クライアント２の情報処理装置１０２は本サービス提供システムの利用者であるＩＳＰ顧客によって操作されるものとする。また、図１では、クライアント１、クライアント２はそれぞれ一台であるが、それぞれ複数のクライアントが接続されても良いことは言うまでもない。
【００１３】
また、情報処理装置１０１、１０２には、電子メールを送受信するためのメーラプログラム（ＭＵＡ（Ｍａｉｌ  Ｕｓｅｒ  Ａｇｅｎｔ）プログラムを含む。）を備えており、ユーザ（コンテンツ配信業者、ＩＳＰ顧客）はそのメーラプログラムを操作してメールサーバに電子メールの送信を依頼したり、メールサーバから電子メールを取得したりすることができる。更に、例えばＩｎｔｅｒｎｅｔ  Ｅｘｐｌｏｒｅｒ（登録商標）に代表されるＷｅｂブラウザを備えており、ユーザはＷｅｂブラウザを操作してサービス提供システムへアクセスすることが可能である。
【００１４】
本実施形態では、コンテンツ配信業者はＷｅｂブラウザを利用して詳細は後述するコンテンツ配信業者へのＩＤ、パスワード発行装置、コンテンツ格納装置、コンテンツ配信業者の情報登録装置にアクセスすることにより、サービス提供事業者（ＩＳＰ業者）が提供するサービスに関する各種情報の設定を行うことができる。また、ＩＳＰ顧客はＷｅｂブラウザを利用して詳細は後述するＩＳＰ顧客基本情報登録装置にアクセスすることにより、ＩＳＰ業者が提供するサービスに関する各種情報の設定を行うことができる。
【００１５】
１１０は複数のサーバ装置で構成されるサービス提供システムであり、本実施形態ではＩＳＰ業者によって運営されている。具体的には、コンテンツ配信業者へのＩＤ、パスワード発行装置１０４、コンテンツ格納装置１０５、コンテンツ配信業者の情報登録装置１０６、マッチング結果処理装置１０７、ＩＳＰ顧客情報とコンテンツ配信業者の情報をマッチングする装置１０８、ＩＳＰ顧客基本情報登録装置１０９から構成されている。また、各装置は、ローカルエリアネットワーク（以下ＬＡＮ）で接続されており、相互にデータのやり取りを行うことが可能である。
【００１６】
１０４はコンテンツ配信業者へのＩＤ、パスワード発行装置であり、具体的には、ＩＤ、パスワード発行プログラム１０４ａ、ＩＤ、パスワードデータベース１０４ｂ、ＩＤ、パスワード認証プログラム１０４ｃ、コンテンツ配信業者登録データベース１０４ｄを備えている。コンテンツ配信業者が、クライアント１からＷｅｂブラウザを操作してコンテンツ配信業者へのＩＤ、パスワード発行装置１０４にアクセスし、各種の登録処理を行うことにより、プログラムを起動し、処理を実行する。
【００１７】
１０４ａはＩＤ、パスワード発行プログラムであり、コンテンツ配信業者が、クライアント１のＷｅｂブラウザを利用してＩＳＰ指定のＵＲＬにアクセスし、必要項目を入力することによりＩＳＰ業者からＩＤ、パスワードの発行を受けるものである。１０４ｂはＩＤ、パスワード発行プログラム１０４ａでコンテンツ配信業者に対して発行されたＩＤ、パスワードを格納するデータベースである。
１０４ｃはコンテンツ配信業者が、コンテンツ格納装置１０５にアクセスし、また、コンテンツ配信業者の情報登録装置１０６にアクセスする際に、認証に必要なＩＤ、パスワードを入力した場合、ＩＤ、パスワードデータベース１０４ｂを利用して認証処理を実行するプログラムである。１０４ｄはデータベースであり、ＩＤ、パスワード発行プログラム１０４ａでコンテンツ配信業者が入力した必要項目を格納する。
【００１８】
１０５はコンテンツ格納装置であり、コンテンツ登録プログラム１０５ａ、コンテンツデータベース１０５ｂを備えている。コンテンツ配信業者がクライアント１からＷｅｂブラウザを操作してＩＤ、パスワードを入力し、コンテンツ格納装置１０５にアクセスし、各種の登録処理を行うことにより、プログラムを起動し、処理を実行する。
【００１９】
１０５ａはコンテンツ配信業者がＩＳＰ顧客に対して配信するコンテンツを、事前にＩＳＰ業者に対して登録をする際に実行するプログラムである。１０５ｂは前記コンテンツを格納するデータベースである。
【００２０】
１０６はコンテンツ配信業者の情報登録装置であり、リクエスト情報登録プログラム１０６ａ、リクエスト情報データベース１０６ｂを備えている。コンテンツ配信業者が各クライアントからＷｅｂブラウザを操作してＩＤ、パスワードを入力し、コンテンツ配信業者の情報登録装置１０６にアクセスし、各種の登録処理を行うことにより、プログラムを起動し、処理を実行する。
【００２１】
１０６ａはコンテンツ配信業者が各種リクエスト情報をＩＳＰ業者に登録する際に実行するプログラムである。１０６ｂはリクエスト情報を格納するデータベースである。
【００２２】
１０９はＩＳＰ顧客基本情報登録装置であり、ＩＤ、パスワード認証プログラム１０９ａ、ＩＤ、パスワードデータベース１０９ｂ、会社単位の基本情報登録プログラム１０９ｃ、アカウント単位の基本情報登録プログラム１０９ｅ、基本情報データベース１０９ｄを備えている。ＩＳＰ顧客がクライアント２からＷｅｂブラウザを操作してＩＤ、パスワードを入力しＩＳＰ顧客基本情報登録装置１０９にアクセスし、各種の登録処理を行うことにより、プログラムを起動し、処理を実行する。
【００２３】
１０９ａはＩＳＰ顧客が予めＩＳＰ加入時に付与されたＩＤ、パスワードを使用し基本情報を登録する際に認証を行うプログラムである。１０９ｂは上述した認証を行う際に使用されるＩＤ、パスワードのデータベースである。１０９ｃは認証を受けたＩＳＰ顧客がＩＳＰ業者に対して基本情報の登録を会社単位で行う際に起動するプログラムである。１０９ｅは認証を受けたＩＳＰ顧客がＩＳＰ業者に対して基本情報の登録をアカウント単位で行う際に起動するプログラムである。１０９ｄは基本情報の登録結果を格納するデータベースである。
【００２４】
１０８はＩＳＰ顧客情報とコンテンツ配信業者の情報をマッチングする装置であり、マッチングプログラム１０８ａ、マッチングデータベース１０８ｂを備えている。ＩＳＰ業者が、コンテンツ配信業者登録のリクエスト情報データベース１０６ｂとＩＳＰ顧客登録の基本情報データベース１０９ｄを利用しマッチング処理を行う際、プログラムを起動し、処理を実行する。
【００２５】
１０８ａはコンテンツ配信業者が登録したリクエスト情報データベース１０６ｂに基づき、ＩＳＰ顧客の基本情報データベース１０９ｂと各種条件に基づきマッチング処理を行いマッチングしたＩＳＰ顧客の人数を確定するプログラムである。１０８ｂはマッチング処理結果を格納するデータベースである。
【００２６】
１０７はマッチング結果処理装置であり、マッチング結果人数表示プログラム１０７ａ、コンテンツ配信プログラム１０７ｂを備えている。コンテンツ配信業者がクライアント１からＷｅｂブラウザを操作してＩＤ、パスワードを入力し、コンテンツ配信業者の情報登録装置１０６にアクセスし、マッチング結果を参照してコンテンツ配信を行う際に、プログラムを起動し、処理を実行する。
【００２７】
１０７ａはＩＳＰ顧客情報とコンテンツ配信業者の情報をマッチングする装置１０８の結果確定したマッチング人数を、コンテンツ配信業者の情報登録処理の最中に表示する際に起動するプログラムである。１０７ｂはコンテンツ配信業者がコンテンツの配信を希望する際に、ＩＳＰ業者に対してＩＳＰ顧客へのコンテンツ配信を依頼する場合に起動するプログラムである。
【００２８】
図２は、本実施形態におけるサーバ及びクライアントのハードウェア構成例を示す図である。図２に示す構成では、ＲＯＭに格納されている制御プログラムに従って全体を制御するＣＰＵ２０１と、ＣＰＵ２０１に後述するフローチャートに示す処理を実行させるための制御プログラムや各種データ等を格納するＲＯＭ２０２と、ＣＰＵ２０１が処理を行う際の作業領域として用いたり各種テーブル等を記憶したりするＲＡＭ２０３と、ハードディスクドライブ等の内部記憶装置２０４と、データ等を格納する磁気ディスク等の外部記憶装置２０５と、外部と通信を行うための通信インターフェース２０６と、ディスプレイ、キーボード、マウス等の操作インターフェース２０７と、ディスプレイ等の表示装置２０８とを含む。
【００２９】
尚、本実施形態において、各種装置の内部記憶装置２０４に各種プログラムが格納されているものとするが、このプログラムは、フレキシブルディスクやＣＤ−ＲＯＭなどの外部記憶媒体に格納され、必要に応じて読み込まれて実行されるものであっても良いし、通信インターフェース２０６を介して外部装置から受信されて実行されるものであっても良い。
【００３０】
＜ＩＳＰ顧客の会社単位での基本情報登録処理＞
本実施形態において、サービス提供事業者（ＩＳＰ業者）は、サービス利用者に対してＷｅｂサーバ及びメールサーバの貸し出しや管理等を行うホスティングサービスを提供するものとする。更に、ＩＳＰ業者は、Ｗｅｂサーバのホスティングサービスの一環として、簡単にホームページを作成するためのインスタントホームページ作成機能、各種ＣＧＩ（Ｃｏｍｍｏｎ  Ｇａｔｅｗａｙ  ｉｎｔｅｒｆａｃｅ）の設定機能や、顧客のホームページを分析するためのアクセス統計機能などのサービスを提供する。また、サービス利用者は、Ｗｅｂブラウザを利用してこれらの機能を利用することができる。
【００３１】
ここで、ＩＳＰ顧客が会社を単位として基本情報を登録する処理について説明する。この処理により、後述するコンテンツ配信業者のリクエスト情報とのマッチングが行われ、ＩＳＰ顧客は会社単位に必要なコンテンツを受領することができる。これらの基本情報はＩＳＰ業者との契約時に登録されても良いし、契約後に登録されても良い。
【００３２】
図３は、ＩＳＰ顧客の会社単位での基本情報登録処理を示すフローチャートである。まず、ステップＳ３０１において、ＩＳＰ顧客がクライアント２のＷｅｂブラウザからサービス提供システムのＵＲＬを入力すると、ＩＳＰ顧客基本情報登録装置１０９のＩＤ、パスワード認証プログラム１０９ａが起動し、クライアント２のＷｅｂブラウザに認証画面が表示される。次に、ステップＳ３０２において、クライアント２のＩＤ、パスワードを入力する。そして、ステップＳ３０３において、ＩＤ、パスワード認証プログラム１０９ａが起動し、予め登録されているＩＤ、パスワードデータベース１０９ｂを参照して認証行為を行う。ここで、認証がＯＫであればステップＳ３０４へ進み、ＮＧであればステップＳ３０１に戻り、ＵＲＬ入力後認証画面表示処理を行う。
【００３３】
ステップＳ３０４では、会社単位の基本情報登録プログラム１０９ｃが起動し、会社の基本情報登録画面が表示される。そして、ステップＳ３０５において、登録する基本情報の種類の選択を行う。選択の種類としては、業種、会社規模、地域、会社イベント時期等があり、その他、様々な種類を設定することが可能である。ここで、業種を選択した場合はステップＳ３１０へ進み、業種の選択画面が表示される。そして、ステップＳ３１１において、予め設定された業種の中からプルダウンで選択を行う。例えば、建設業や商社などで、その他様々な種類を設定することが可能である。
【００３４】
次に、ステップＳ３３０において、選択がＯＫであれば、この登録処理を終了し、ＮＧであればステップＳ３０４に戻り、会社の基本情報登録画面を表示し、再度、登録する基本情報の種類の選択を行う。
【００３５】
また、ステップＳ３１２〜Ｓ３１７において、会社規模、地域、会社イベント時期について同様の処理を繰り返し、全ての処理を終了する。
【００３６】
これらの登録された基本情報は、基本情報データベース１０９ｄへ送信され、ＩＳＰ顧客の基本情報テーブルへ登録される。
【００３７】
図５は、ＩＳＰ顧客の基本情報テーブルの構成例を示す図である。図５に示すように、基本情報テーブルは、ユーザ名毎に構成され、ユーザ名５０１ａ、ＩＤ（メールアカウント）５０１ｂ、パスワード５０１ｃ、業種５０１ｄ、会社規模５０１ｅ、地域５０１ｆ、性別５０１ｇ、年齢５０１ｈ、役職５０１ｉ、所属部署５０１ｊ、趣味５０１ｋなどの情報が含まれる。
【００３８】
＜ＩＳＰ顧客のアカウント単位での基本情報登録処理＞
次に、ＩＳＰ顧客がアカウントを単位として基本情報を登録する処理について説明する。この処理により、後述するコンテンツ配信業者のリクエスト情報とのマッチングが行われ、ＩＳＰ顧客はアカウント単位に必要なコンテンツを受領することができる。これらの基本情報はＩＳＰ契約時に登録されても良いし、契約後に登録されても良い。
【００３９】
図４は、ＩＳＰ顧客のアカウント単位での基本情報登録処理を示すフローチャートである。まず、ステップＳ４０１において、ＩＳＰ顧客がクライアント２のＷｅｂブラウザからサービス提供システムのＵＲＬを入力すると、ＩＳＰ顧客基本情報登録装置１０９のＩＤ、パスワード認証プログラム１０９ａが起動し、クライアント２のＷｅｂブラウザに認証画面が表示される。次に、ステップＳ４０２において、クライアント２のＩＤ、パスワードを入力する。そして、ステップＳ４０３において、ＩＤ、パスワード認証プログラム１０９ａが起動し、予め登録されているＩＤ、パスワードデータベース１０９ｂを参照して認証行為を行う。ここで、認証がＯＫであればステップＳ４０４へ進み、ＮＧであればステップＳ４０１に戻り、ＵＲＬ入力後認証画面表示処理を行う。
【００４０】
ステップＳ４０４では、アカウント単位の基本情報登録プログラム１０９ｅが起動し、アカウント単位での基本情報登録画面が表示される。そして、ステップＳ４０５において、登録する基本情報の種類の選択を行う。選択の種類としては、性別、年齢、役職、所属部門、趣味、家族情報等があり、その他、様々な種類を設定することが可能である。ここで、性別を選択した場合はステップＳ４１０へ進み、性別の選択画面が表示される。そして、ステップＳ４１１において、予め設定された性別の中からプルダウンで選択を行う。例えば、男、女で、その他様々な種類を設定することが可能である。
【００４１】
次に、ステップＳ４３０において、選択がＯＫであれば、この登録処理を終了し、ＮＧであればステップＳ４０４に戻り、アカウント単位の基本情報登録画面を表示し、再度、登録する基本情報の種類の選択を行う。
【００４２】
また、ステップＳ４１２〜Ｓ４２１において、年齢、役職、所属部署、趣味、家族情報について同様の処理を繰り返し、全ての処理を終了する。
【００４３】
これらの登録された基本情報は、基本情報データベース１０９ｄへ送信され、ＩＳＰ顧客の基本情報テーブル５０１へ登録される。
【００４４】
＜ＩＳＰへのコンテンツ配信業者の登録処理＞
次に、コンテンツ配信事業者がＩＳＰ業者に対して自社の情報を登録する処理について説明する。コンテンツ配信業者は、ＩＳＰ顧客にコンテンツ情報を配信する場合、事前にＩＳＰ業者に対して自社の情報を登録しておく必要がある。
【００４５】
図６は、ＩＳＰ業者へのコンテンツ配信業者の登録処理を示すフローチャートである。まず、ステップＳ６０１において、コンテンツ配信業者がクライアント１のＷｅｂブラウザからサービス提供システムのＵＲＬを入力すると、コンテンツ配信業者へのＩＤ、パスワード発行装置１０９のＩＤ、パスワード発行プログラム１０４ａが起動し、クライアント１のＷｅｂブラウザに業者登録画面（図７に示す７０１）が表示される。図７に示す例では、業者登録画面７０１は、指定ＵＲＬ７０１ａ、会社名７０１ｂ、会社住所７０１ｃ、代表者氏名７０１ｄ、電話番号７０１ｅ、送信ボタン７０１ｆ等から構成されている。
【００４６】
次に、ステップＳ６０２において、コンテンツ配信業者は、会社名７０１ｂ、会社住所７０１ｃ等の必要項目を入力し、送信ボタン７０１ｆを押す。そして、ステップＳ６０３において、入力項目がＯＫであればステップＳ６０４へ進み、ＮＧであればステップＳ６０１に戻り、ＵＲＬ入力後、業者登録画面表示処理を実行する。ここで入力されたコンテンツ配信業者の必要項目は、コンテンツ配信業者登録データベース１０４ｄに格納される。
【００４７】
ステップＳ６０４では、ＩＳＰ業者からコンテンツ配信業者に対してＩＤ、パスワードが発行される。
【００４８】
図８は、コンテンツ配信業者へのＩＤ、パスワード発行画面の一例を示す図である。図８において、８０１はＩＤ、パスワードの発行画面であり、８０１ａ、８０１ｂ、８０１ｃから構成されている。発行されたＩＤ、パスワードは、ＩＤ、パスワードデータベース１０４ｂに格納され、後述するコンテンツ配信業者の認証の際に、ＩＤ、パスワード認証プログラム１０４ｃで使用される。
【００４９】
＜ＩＳＰ業者へのコンテンツ事前登録処理＞
次に、コンテンツ配信業者がＩＳＰ顧客に送付するコンテンツを事前にＩＳＰ業者に対して登録する処理について説明する。尚、コンテンツの種類は、１つの配信業者に対して、複数登録が可能である。
【００５０】
図９は、ＩＳＰ業者へのコンテンツの事前登録処理を示すフローチャートである。まず、ステップＳ９０１において、コンテンツ配信業者がクライアント１のＷｅｂブラウザからサービス提供システムのＵＲＬを入力すると、コンテンツ配信業者へのＩＤ、パスワード発行装置１０９のＩＤ、パスワード発行プログラム１０４ａが起動し、クライアント１のＷｅｂブラウザに認証画面が表示される。次に、ステップＳ９０２において、コンテンツ配信業者は、ＩＳＰ業者から付与されたＩＤ、パスワードの入力を行う。そして、ステップＳ９０３において、ＩＤ、パスワード認証プログラム１０４ｃが起動し、ＩＤ、パスワードデータベース１０４ｂを参照して認証行為を行う。そして、認証がＯＫであればステップＳ９０４へ進み、またＮＧであればステップＳ９０１に戻り、ＵＲＬ入力後、認証画面表示処理を行う。
【００５１】
ステップＳ９０４では、コンテンツ登録プログラム１０５ａが起動し、コンテンツの登録画面が表示される。そして、ステップＳ９０５において、コンテンツ配信業者は、ＩＳＰ顧客に送付したいコンテンツの登録を行う。
【００５２】
図１０は、ＩＳＰ業者へのコンテンツ登録画面の一例を示す図である。図１０に示す例では、コンテンツ登録画面１００１は指定ＵＲＬ１００１ａ、登録されたコンテンツ１（ここでは新築マンション情報１００１ｂ）、登録されたコンテンツ２（ここでは土地売買情報１００１ｃ）、…から構成されている。
【００５３】
次に、ステップＳ９０６において、登録内容がＯＫであれば、登録処理を終了し、またＮＧであればステップＳ９０４に戻り、コンテンツ登録画面表示処理を行う。ここで登録されたコンテンツは、コンテンツデータベース１０５ｂに格納される。
【００５４】
＜コンテンツ配信業者の情報配信登録処理＞
次に、コンテンツ配信業者がリクエスト情報を入力し、ＩＳＰ顧客とのマッチング人数情報を入手し、最終的にＩＳＰ顧客に対してコンテンツの配信を行うか否かの判断を行う処理について説明する。
【００５５】
図１１は、コンテンツ配信業者の情報配信処理を示すフローチャートである。
まず、ステップＳ１１０１において、コンテンツ配信業者がクライアント１のＷｅｂブラウザにサービス提供システムのＵＲＬを入力すると、ＩＤ、パスワード認証プログラム１０４ｃが起動し、クライアント１のＷｅｂブラウザに認証画面が表示される。そして、ステップＳ１１０２において、コンテンツ配信業者は、予めＩＳＰ業者から付与されたＩＤ、パスワードの入力を行う。
【００５６】
次に、ステップＳ１１０３において、ＩＤ、パスワード認証プログラム１０４ｃがＩＤ、パスワードデータベース１０４ｂを参照して認証行為を行う。ここで、認証がＯＫであればステップＳ１１０４へ進み、ＮＧであればステップＳ１１０１に戻り、ＵＲＬ入力後、認証画面表示処理を行う。
【００５７】
ステップＳ１１０４では、リクエスト情報登録プログラム１０６ａが起動し、クライアント１のＷｅｂブラウザにリクエスト情報登録画面が表示される。そして、ステップＳ１１０５において、コンテンツ配信業者は、登録するリクエスト情報の種類の選択を行う。選択の種類は、業種、会社規模、地域、会社イベント時期、性別、年齢、役職、所属部門、趣味等があり、その他、様々な種類を設定することが可能である。ここで、業種を選択した場合ステップＳ１１１０へ進み、業種の選択画面が表示される。そして、ステップＳ１１１１において、予め設定された業種の中からプルダウンで選択を行う。例えば、建設業や商社などから選択可能であり、その他、様々な種類を設定することが可能である。
【００５８】
次に、ステップＳ１１３０において、選択がＯＫであればステップＳ１１３１へ進み、ＮＧであればステップＳ１１０４に戻り、リクエスト情報登録画面表示を行い、再度、登録するリクエスト情報の種類の選択を行う。
【００５９】
また、ステップＳ１１１２〜Ｓ１１２３において、会社規模、地域、会社イベント時期、性別、年齢、役職、所属部門、趣味について同様の処理を繰り返し、全てのリクエスト情報登録処理を終了する。
【００６０】
これらの登録されたリクエスト情報は、リクエスト情報データベース１０６ｂへ送信され、コンテンツ配信業者のリクエスト情報テーブルへ登録される。
【００６１】
図１２は、コンテンツ配信業者のリクエスト情報テーブルの構成例を示す図である。図１２に示すように、リクエスト情報テーブルは、コンテンツ配信業者が登録したコンテンツ内容毎に構成され、それぞれコンテンツ業者ＩＤ１２０１ａ、連番１２０１ｂ、送付コンテンツ１２０１ｃ、対象業種１２０１ｄ、対象会社規模１２０１ｅ、対象地域１２０１ｆ、対象性別１２０１ｇ、対象年齢１２０１ｈ、対象役職１２０１ｉ、対象所属部署１２０１ｊ、対象趣味１２０１ｋなどの情報が含まれている。
【００６２】
次に、ステップＳ１１３１において、マッチングプログラム１０８ａが起動し、コンテンツ配信業者が登録したリクエスト情報データベース１０６ｂとＩＳＰ顧客が登録した基本情報データベース１０９ｄとのマッチング処理を行う。このマッチング処理については更に後述する。そして、ステップＳ１１３２において、マッチング結果人数表示プログラム１０７ａが起動し、上述のマッチング処理でマッチングしたＩＳＰ顧客の人数を、コンテンツ配信業者（クライアント１）のＷｅｂブラウザ画面上に表示する。これにより、コンテンツ配信業者は、コンテンツ配信前に、配信対象人数を把握することができ、対象人数によって配信をするか否かの判断を行うことができる。
【００６３】
ここで、マッチング結果については、マッチングデータベース１０８ｂへ送信され、図１３に示すマッチングテーブル（結果）１３０１に登録される。
【００６４】
次に、ステップＳ１１３５において、表示されたマッチング人数のＩＳＰ顧客に対し、コンテンツを配信するのであればステップＳ１１３６へ進み、配信しないのであればステップＳ１１０４に戻り、リクエスト情報登録画面表示を行い、再度、各種のリクエスト情報を登録し、マッチング処理を行う。
【００６５】
ステップＳ１１３６では、コンテンツ配信プログラム１０７ｂが起動し、配信コンテンツ表示画面がコンテンツ配信業者（クライアント１）のＷｅｂブラウザに表示される。尚、表示される内容は、コンテンツ配信業者がコンテンツデータベース１０５ｂに予め登録したコンテンツの種類である。
【００６６】
次に、ステップＳ１１３７において、コンテンツ配信業者はＷｅｂブラウザに表示されたコンテンツ種類の中からＩＳＰ顧客に対して送付をするコンテンツを選択する。そして、ステップＳ１１３８において、選択されたコンテンツでＯＫであればステップＳ１１３９へ進み、ＮＧであればステップＳ１１３６に戻り、配信コンテンツ表示画面を表示し、再度、コンテンツを選択する。
【００６７】
ステップＳ１１３９では、コンテンツ配信プログラム１０７ｂが起動し、マッチングしたＩＳＰ顧客に対し、コンテンツ配信業者が選択したコンテンツ内容を配信する。尚、配信は、マッチングしたＩＳＰ顧客のアカウントに対し、メールで配信されても良いし、その他の手段を用いて配信されても良い。これらの技術については、既存の技術なので説明を省略する。
【００６８】
また、配信自体は、ＩＳＰ業者のプログラムであるコンテンツ配信プログラム１０７ｂを使用して処理されるため、コンテンツ配信業者にはＩＳＰ顧客の情報（例えば、メールアドレス等）は開示されない。従って、その後、不要のコンテンツが配信されたり、顧客のアカウント情報が外部へ流出されたりというセキュリティー上の問題を回避できる。
【００６９】
＜マッチング処理の詳細な説明＞
図１４は、図１１に示したマッチング処理の詳細を示すフローチャートである。まず、ステップＳ１４０１において、マッチングプログラム１０８ａが起動し、コンテンツ配信業者の業者ＩＤに基づき、リクエスト情報データベース１０６ｂからコンテンツ配信業者のリクエスト情報（図１２）を読み出す。次に、ステップＳ１４０２において、そのコンテンツ配信業者のリクエスト情報からＩＳＰ顧客が登録した基本情報データベース１０９ｄを検索し、マッチング処理を行う。次に、ステップＳ１４０３において、マッチングの顧客を検出する。そして、ステップＳ１４０４において、マッチング処理の結果をマッチングデータベース１０８ｂへ送信し、マッチングテーブル（結果）１３０１に登録する。
【００７０】
図１５は、マッチング判定処理（結果）を示すフローチャートである。まず、ステップＳ１５０１において、コンテンツ配信業者の登録したリクエスト情報の業種と、ＩＳＰ顧客の基本情報データベース１０９ｄに登録した業種が一致した場合はステップＳ１５０２へ進み、結果をプラス１として処理を行う。
【００７１】
また、ステップＳ１５０３からＳ１５０８において、同様に、コンテンツ配信業者の登録したリクエスト情報のそれぞれの項目と、ＩＳＰ顧客基本情報データベース１０９ｄのそれぞれの項目が一致した場合は結果をプラス１として処理を行う。そして、ステップＳ１５０９において、マッチング判定処理の合計点数をマッチングデータベース１０８ｂに送信し、マッチングテーブル（結果）１３０１に登録する。
【００７２】
図１３は、マッチングプログラム１０８ａの処理結果が登録されるマッチングテーブル（結果）の構成例を示す図である。図１３に示す例では、カメラ新製品情報を送付コンテンツとし、顧客ユーザＩＤの顧客とマッチング判定した結果である。また、コンテンツ配信業者のリクエスト情報としては、会社規模１３０１ｄ、地域１３０１ｅ、性別１３０１ｆ、年齢１３０１ｇ、趣味１３０１ｊが選択された場合のマッチング結果を示している。
【００７３】
つまり、マッチングプログラム１０８ａは、コンテンツ配信業者のリクエストデータベース１０６ｂに基づき、ＩＳＰ顧客の基本情報データベース１０９ｄを検索するプログラムであり、例えば、業種１３０１ｃでは、コンテンツ配信業者がリクエスト指定をしていないため、処理は行われない。会社規模１３０１ｄでは、コンテンツ配信業者のリクエスト１００人に対し、ＩＳＰ顧客の基本情報が２０００人なので、マッチング結果ＯＫで１を計上している。それぞれの項目でマッチング処理をした結果、１３０１ｋに示す結果合計が５点となり、この場合コンテンツ配信業者のリクエスト５項目全てに対して結果がそれぞれマッチングしているので、判定をＹＥＳとし、本顧客はマッチング件数の１件として処理がされる。
【００７４】
また同様に、１３０２の顧客に対してもマッチングプログラム処理が行われるが、例えば性別１３０２ｆでは、マッチングの条件に該当しないため、結果を０と計上し、結果合計がコンテンツ配信業者のリクエスト情報と一致しないため、この顧客１３０２については判定をＮＯとし、マッチング件数に計上しない。
【００７５】
上述したように、コンテンツ配信業者のリクエスト情報に対し、各ＩＳＰ顧客の基本情報をマッチング処理し、判定ＹＥＳのＩＳＰ顧客を１件と計上し、合計人数をマッチング結果人数表示プログラム１０７ａ起動時にコンテンツ配信業者（クライアント１）のＷｅｂブラウザ上に表示する。
【００７６】
［他の実施形態］
前述した実施形態では、マッチング処理を、コンテンツ配信業者のリクエスト情報データベース１０６ｂの各種項目に基づき、ＩＳＰ顧客の基本情報データベース１０９ｄの各種項目を検索し、全ての項目で一致するものについては判定ＹＥＳと判断し、マッチング結果の人数に計上を行うシステムであった。
【００７７】
他の実施形態は、各種の項目全てに一致しない場合でも、各項目の重み付けを点数によって事前に行い、指定の点数を越えた場合は、マッチング結果の人数に計上を行うものである。
【００７８】
図１６は、マッチング判定処理（点数）を示すフローチャートである。ここで、コンテンツ配信業者は、リクエスト情報データベース１０６ｂに対し、事前にリクエスト項目毎に点数を付与しておくことができるものとする。例えば、性別の項目に対して高い重み付けを行う場合、性別に５点を付与しておく。
【００７９】
まず、ステップＳ１６０１において、マッチングプログラム１０８ａが起動され、コンテンツ配信業者のリクエスト情報データベース１０６ｂの業種と、ＩＳＰ顧客の基本情報データベース１０９ｄの業種が一致した場合はステップＳ１６０２へ進み、点数をプラス１として処理を行う。
【００８０】
また、ステップＳ１６０３からＳ１６０８において、同様に、コンテンツ配信業者の選択したリクエスト情報データベース１０６ｂのそれぞれの項目と、ＩＳＰ顧客基本情報データベース１０９ｄのそれぞれの項目が一致した場合は指定の点数をプラスとして処理を行う。そして、ステップＳ１６０９において、処理の合計点数をマッチングデータベース１０８ｂに送信し、マッチングテーブル（点数）に登録する。
【００８１】
図１７は、マッチングプログラム１０８ａの処理結果が登録されるマッチングテーブル（点数）の構成例を示す図である。図１７に示す例は、図１３に示したテーブルの結果の代わりに点数で判定するものである。他の構成は同様であり、説明は省略する。
【００８２】
つまり、マッチングプログラム１０８ａは、コンテンツ配信業者のリクエストデータベース１０６ｂに基づき、ＩＳＰ顧客の基本情報データベース１０９ｄを検索するプログラムであり、例えば、業種１７０１ｃでは、コンテンツ配信業者がリクエスト指定をしていないため、処理は行われない。会社規模１７０１ｄでは、コンテンツ配信業者のリクエスト１００人に対し、ＩＳＰ顧客の基本情報が２０００人なので、マッチング結果ＯＫで１を計上している。それぞれの項目でマッチング処理をした結果、１７０１ｋに示す点数合計が４点となり、この場合コンテンツ配信業者の予め登録していた重み付けの合計点数に達しなかったため、判定をＮＯとし、本顧客はマッチング件数の１件として処理されない。
【００８３】
また同様に、１７０２の顧客に対してもマッチングプログラム処理が行われるが、例えば性別１７０２ｆでは、マッチングの条件に該当しないため、点数を０と計上し、趣味１５０２ｊではマッチングの条件に該当し、かつ、事前に５点の点数が登録されているので、点数を５点と計上する。この例の場合、全ての項目でマッチングがＯＫとなっていないが、合計点数がコンテンツ配信業者の指定の点数を越えているため、この顧客については判定をＹＥＳとし、マッチング件数の１件として計上が行われる。
【００８４】
上述したように、コンテンツ配信業者のリクエスト情報に対し、各ＩＳＰ顧客の基本情報をマッチング処理し、指定の点数を超過した判定ＹＥＳのＩＳＰ顧客を１件と計上し、合計人数をマッチング結果人数表示プログラム１０７ａ起動時にコンテンツ配信業者（クライアント１）のＷｅｂブラウザ上に表示する。
【００８５】
以上説明したように、実施形態によれば、ＩＳＰ業者が仲介することにより、コンテンツ配信業者とコンテンツ受領顧客との双方にとって有効なコンテンツの授受が行われるため、コンテンツ利用のヒット率が向上する。
【００８６】
コンテンツ配信業者にとっては、コンテンツ配信前に、対象顧客の絞り込みが可能となり、併せて対象顧客人数を把握できることからマーケットの状況を予め予測することが可能となる。
【００８７】
また、対象となる顧客はＩＳＰ加入の企業内個人であり、学生や専業主婦などと異なり、給与所得を有する比較的購買意欲の高い顧客をターゲットとすることができる。併せて、対象の顧客は、ＩＳＰ加入のリアルデータを利用するため、リアルタイムな顧客をターゲットとすることができる。
【００８８】
また、コンテンツ配信を受領する顧客にとっては、基本情報を登録することにより、必要なコンテンツを受領することが可能となり、併せて、ＩＳＰ業者よりコンテンツを受領することから、コンテンツ配信業者に顧客自身の連絡先を開示することがなく、顧客のセキュリティーを保持することが可能となる。
【００８９】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００９０】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００９１】
この場合、記録媒体から読出されたプログラムコード自体が前述した実施形態の機能を実現することになり、そのプログラムコードを記憶した記録媒体は本発明を構成することになる。
【００９２】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００９３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００９４】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００９５】
【発明の効果】
以上説明したように、本発明によれば、コンテンツ配信業者とコンテンツ受領顧客との間で、それぞれ設定された条件をマッチングさせることにより、双方の利便性を向上させることができる。
【図面の簡単な説明】
【図１】本実施形態におけるシステムの構成を示す図である。
【図２】本実施形態におけるサーバ及びクライアントのハードウェア構成例を示す図である。
【図３】ＩＳＰ顧客の会社単位での基本情報登録処理を示すフローチャートである。
【図４】ＩＳＰ顧客のアカウント単位での基本情報登録処理を示すフローチャートである。
【図５】ＩＳＰ顧客の基本情報テーブルの構成例を示す図である。
【図６】ＩＳＰ業者へのコンテンツ配信業者の登録処理を示すフローチャートである。
【図７】ＩＳＰ業者へのコンテンツ配信業者の登録画面の一例を示す図である。
【図８】コンテンツ配信業者へのＩＤ、パスワード発行画面の一例を示す図である。
【図９】ＩＳＰ業者へのコンテンツの事前登録処理を示すフローチャートである。
【図１０】ＩＳＰ業者へのコンテンツ登録画面の一例を示す図である。
【図１１】コンテンツ配信業者の情報配信処理を示すフローチャートである。
【図１２】コンテンツ配信業者のリクエスト情報テーブルの構成例を示す図である。
【図１３】マッチングテーブル（結果）の構成例を示す図である。
【図１４】図１１に示したマッチング処理の詳細を示すフローチャートである。
【図１５】マッチング判定処理（結果）を示すフローチャートである。
【図１６】マッチング判定処理（点数）を示すフローチャートである。
【図１７】マッチングテーブル（点数）の構成例を示す図である。
【図１】
2005018290.tif 000003
【図２】
2005018290.tif 000004
【図３】
2005018290.tif 000005
【図４】
2005018290.tif 000006
【図５】
2005018290.tif 000007
【図６】
2005018290.tif 000008
【図７】
2005018290.tif 000009
【図８】
2005018290.tif 000010
【図９】
2005018290.tif 000011
【図１０】
2005018290.tif 000012
【図１１】
2005018290.tif 000013
【図１２】
2005018290.tif 000014
【図１３】
2005018290.tif 000015
【図１４】
2005018290.tif 000016
【図１５】
2005018290.tif 000017
【図１６】
2005018290.tif 000018
【図１７】
2005018290.tif 000019
【手続補正書】
【提出日】平成16年5月28日(2004.5.28)
【手続補正１】
【補正対象書類名】明細書
【補正対象項目名】特許請求の範囲
【補正方法】変更
【補正の内容】
【特許請求の範囲】
【請求項１】
通信ネットワークを介してコンテンツ配信業者が複数の顧客にコンテンツを配信するコンテンツ配信システムであって、
コンテンツ配信業者がコンテンツを配信したい顧客を絞り込むために設定した条件を検出する手段と、
複数の顧客がコンテンツ配信を受領するために設定した各条件を検出する手段と、
前記検出した条件を顧客毎にマッチングさせる手段と、
前記マッチングした顧客の数をコンテンツ配信業者に把握させる手段と、
前記コンテンツ配信業者により指定されたコンテンツをマッチングした顧客に配信する手段とを有することを特徴とするコンテンツ配信システム。
【請求項２】
前記配信する手段は、前記コンテンツ配信業者に対して複数の顧客の情報を開示せずに配信することを特徴とする請求項１記載のコンテンツ配信システム。
【請求項３】
前記配信する手段は、前記コンテンツ配信業者が顧客の数を把握した後、顧客へのコンテンツ配信を依頼するか否かを選択し、前記コンテンツ配信業者からコンテンツ配信を依頼された場合、コンテンツをマッチングした顧客に配信することを特徴とする請求項１記載のコンテンツ配信システム。
【請求項４】
通信ネットワークを介してコンテンツ配信業者が複数の顧客にコンテンツを配信するコンテンツ配信システムの配信方法であって、
コンテンツ配信業者がコンテンツを配信したい顧客を絞り込むために設定した条件を検出する工程と、
複数の顧客がコンテンツ配信を受領するために設定した各条件を検出する工程と、
前記検出した条件を顧客毎にマッチングさせる工程と、
前記マッチングした顧客の数をコンテンツ配信業者に把握させる工程と、
前記コンテンツ配信業者により指定されたコンテンツをマッチングした顧客に配信する工程とを有することを特徴とするコンテンツ配信システムの配信方法。
【請求項５】
前記配信する工程は、前記コンテンツ配信業者に対して複数の顧客の情報を開示せずに配信することを特徴とする請求項４記載のコンテンツ配信システムの配信方法。
【請求項６】
前記配信する工程は、前記コンテンツ配信業者が顧客の数を把握した後、顧客へのコンテンツ配信を依頼するか否かを選択し、前記コンテンツ配信業者からコンテンツ配信を依頼された場合、コンテンツをマッチングした顧客に配信することを特徴とする請求項４記載のコンテンツ配信システムの配信方法。
【請求項７】
コンピュータを請求項１に記載されたコンテンツ配信システムの各手段として機能させるためのプログラム。
【請求項８】
請求項７に記載されたプログラムを記録したコンピュータ読み取り可能な記録媒体。